(57)【要約】【課題】  プレイリスト作成や編集を容易に行うことが可能な情報記録再生方法を提供する。【解決手段】  再生及び記録時に映像音声ストリーム内に少なくとも一つのブックマークを作成し、また、ブックマークが記録時に指定されたものか、再生時に指定されたものかを判別する。そして、映像音声ストリーム内のブックマークの一つから再生する場合に、記録時に作成したブックマークと判別された場合には、ブックマークが示している位置よりも所定量前の位置から再生する。こうすることで、再生、逆再生、コマ送り／戻り等の操作で映像音声ストリームのブックマークを設定できるため、プレイリスト編集が容易となる。【選択図】        図７
2006236504.tif 000002
【特許請求の範囲】
【請求項１】
情報記録媒体に映像或いは音声を記録再生する情報記録再生方法において、再生及び記録時に映像音声ストリーム内に少なくとも一つのブックマークを作成し、前記ブックマークが記録時に指定されたものか、再生時に指定されたものかを判別し、前記映像音声ストリーム内のブックマークの一つから再生する際、記録時に作成したブックマークと判別された場合には、前記ブックマークが示す位置よりも所定量前の位置から再生することを特徴とする情報記録再生方法。
【請求項２】
前記所定量は、フレーム単位或いはＧＯＰ単位で指定されることを特徴とする請求項１に記載の情報記録再生方法。
【請求項３】
前記所定量は、ＧＯＰ数に対応した時間単位で指定されることを特徴とする請求項１に記載の情報記録再生方法。
【請求項４】
前記ブックマークが示す位置は、ＧＯＰの先頭のＩピクチャであることを特徴とする請求項１に記載の情報記録再生方法。
【請求項５】
記録時に作成したブックマークを再生時に作成したブックマークに変更することを特徴とする請求項１に記載の情報記録再生方法。
【発明の詳細な説明】
【技術分野】
【０００１】
本発明は、光ディスク等の記録媒体に映像或いは音声等を記録及び再生する情報記録再生方法に関するものである。
【背景技術】
【０００２】
近年、ＤＶＤ等のディスク記録媒体に映像や音声を記録再生するディスク記録再生装置が普及し、ユーザが記録した映像や音声をニーズに応じて編集を行うことが可能となっている。例えば、再生時の映像ファイルの順序及び映像ファイルの中の再生区間をプレイリストとして、映像ファイルと共に光ディスクに記録している。そのため、複数の映像ファイルを、任意の区間、任意の順序で連続再生を行うことが可能となる。また、プレイリストを編集する事で、ユーザのニーズに応じた簡易的な編集が可能である。
【０００３】
図４に示すように編集作業における映像ファイル編集時には、映像Ａ，映像Ｂ，映像Ｃをそれぞれ任意のＩＮ点、ＩＮ＿Ａ、ＩＮ＿Ｂ、ＩＮ＿Ｃ、及びＯＵＴ点、ＯＵＴ＿Ａ、ＯＵＴ＿Ｂ、ＯＵＴ＿Ｃを設定し、映像Ａ、Ｂ、Ｃの順で連続再生を行うようにプレイリストを作成する。
【０００４】
映像音声ストリーム内の編集点（ＩＮ点、ＯＵＴ点）を設定する際に、映像音声ストリーム内にブックマークがあると、ブックマーク位置から所望の位置を指定することが出来るため、編集に便利である。ブックマークを作成する際には、映像音声ストリームを再生し、所望の位置をブックマークとして登録している。ブックマークは、映像音声ストリームの再生時に映像音声ストリーム内の所定位置をフレーム単位或いはＧＯＰ単位で指定し、ブックマークの指定位置から再生を行っている。このような技術は、例えば、特開２０００−５７７５１号公報等に記載されている（特許文献１）。
【特許文献１】特開２０００−５７７５１号公報
【発明の開示】
【発明が解決しようとする課題】
【０００５】
上記編集作業において、ユーザが所望の編集点を設定する際には、ストリームを先頭からサーチする必要があり、時間がかかっていたため、記録中にもブックマークを登録できるようにすることで、記録時に登録した所定位置に移動できるようにしている。しかしながら、データ記録中に作成するブックマークは、記録中に映像を見てからブックマークを登録するため、ブックマークを作成する位置が、所望の位置より後に登録されてしまう。そのため、プレイリスト作成時にブックマーク位置を参照した場合、記録時に作成したブックマークだけ指定位置の少し前をサーチしてユーザが所望の位置を検出する必要があり、時間を費やす問題があった。
【０００６】
本発明の目的は、プレイリスト作成や編集を容易に行うことが可能な情報記録再生方法を提供することにある。
【課題を解決するための手段】
【０００７】
上記課題を解決するために、本発明は、情報記録媒体に映像或いは音声を記録再生する情報記録再生方法において、再生及び記録時に映像音声ストリーム内に少なくとも一つのブックマークを作成し、前記ブックマークが記録時に指定されたものか、再生時に指定されたものかを判別し、前記映像音声ストリーム内のブックマークの一つから再生する際、記録時に作成したブックマークと判別された場合には、前記ブックマークが示す位置よりも所定量前の位置から再生することを特徴とする。
【０００８】
本発明においては、ブックマークが記録時に指定されたものか再生時に指定されたものかを判別し、記録時に作成したブックマークと判別された場合には、ブックマークが示す位置よりも所定量前の位置から再生することにより、再生、逆再生、コマ送り／戻り等の操作で映像音声ストリームのブックマークを設定出来るため、プレイリスト編集が容易となるものである。
【発明の効果】
【０００９】
本発明によれば、記録中にもブックマークを作成できるようにし、データ記録中に作成したブックマークと再生中に作成したブックマークとを判別し、データ記録中に登録したブックマークを再生する際には、ブックマーク位置よりも所定量前から再生することで、再生、逆再生、コマ送り／戻り等の操作で映像音声ストリームのブックマークを設定出来るため、プレイリスト編集が容易になる。
【００１０】
更に、データ記録中に作成したブックマークを変更した場合には、ブックマークが示している場所より前からではなく、ブックマークが示す場所から再生することで、迅速に所望の位置にブックマークを作成でき、プレイリスト編集が容易になる。
【発明を実施するための最良の形態】
【００１１】
次に、発明を実施するための最良の形態について図面を参照して詳細に説明する。まず、ＭＰＥＧ規格における複数枚の画面の画像信号を一まとまりにした符号化単位であるＧＯＰ(Group of Picture)について説明する。
【００１２】
このＧＯＰは、図５に示すような構造を有している。図５は例えば１５画面を１ＧＯＰとする場合を示しており、１つのＧＯＰの画像信号はフレーム間予測を用いることなく生成されるフレーム内符号化画面(以下Ｉピクチャと略する)、時間的に前（過去）に位置するＩピクチャまたはＰピクチャによる順（前）方向フレーム間予測を用いて生成されるフレーム間順方向予測符号化画面（以下Ｐピクチャと略する）、及び時間的に前及び後（過去及び将来）に位置するＩピクチャまたはＰピクチャを参照画面とした双方向予測を用いて生成される双方向予測符号化画面(以下Ｂピクチャと略する)の各信号によって構成されている。このような３種類の画面（ピクチャ）がいくつか組み合わさった構造としてディスク内に記録することとなる。
【００１３】
また、ＧＯＰを構成するＩピクチャ（面）、Ｐピクチャ（面）、及びＢピクチャ（面）は次のような性質を有している。即ち、Ｉピクチャはフレーム内ＤＣＴ(Discrete Cosine Transform、離散コサイン変換)を行うことによって生成されているため、この画面単独で他のピクチャを参照することなく画像を再生することが可能であるが、Ｐピクチャは前方向の画面を参照して動き補償を行うことによって符号化されているため、Ｉピクチャを復号した後でなければ画像を再生することが出来ず、更に、Ｂピクチャは両方向からの予測画面であるため、前後にあるＩピクチャもしくはＰピクチャを復号した後でなければ画像を再生することができない。
【００１４】
そこで、他のピクチャを参照して符号化されるＢピクチャを１つのＧＯＰ内で閉じるように、即ち、Ｂピクチャの参照画面がそのＧＯＰ内の画面を参照するように符号化を行えば、１つのＧＯＰの画像信号はそれ単独で復号化して再生することが可能となる。
【００１５】
一方、両方向からの予測を行って符号化されるＢピクチャが、最もデータ量が少なく、符号化効率が良いが、反面、このＢピクチャは単独で再生できず、ＩピクチャやＰピクチャを必要とするため、その分Ｂピクチャの枚数を増やすと処理に必要なバッファメモリ量が増えるとともに、符号化及び復号化に伴う遅延時間が増大する。しかし、光ディスク等に代表される蓄積系メディアにおいては、長時間記録のために圧縮効率の良い符号化方式が望まれること、上記画像再生の遅延時間はあまり問題にならないこと等から、上記のような符号化方式が適している。
【００１６】
次に、本発明の実施の形態について説明する。図２はディスクに設けられたブックマークテーブルの構成例を示す図である。このディスクでは、図２に示すようなブックマークテーブルを有する。このブックマークテーブルにはｍ個のブックマークが格納できるようになっており、それぞれの情報はユーザが自ら指定したディスク上の再生開始位置に関係する情報であり、通常、ディスクのアドレス情報に対応した時間情報に相当するものが使われる。
【００１７】
図３はブックマークの具体例を示す図である。サムネイル番号３１はブックマーク登録時に生成したサムネイルのサムネイル番号である。ディスクに記録可能なブックマークは予め決められた数（例えば最大で２５６個）とする。位置情報３２は記録媒体のブックマークの記録位置を示す時間情報であり、データのディスクアドレスに対応している。
【００１８】
状態フラグ３３はブックマークが作成された際の状態を示す。データ記録中に作成した場合には、状態フラグを１にセットし、データ再生中に作成した場合には、状態フラグを０にセットする。データ記録中に作成したブックマークをデータ再生中に変更する場合には、状態フラグを０にセットする。作成日時３４はブックマークを作成した日時を記録し、サムネイル情報３５はブックマーク作成時に生成したサムネイル情報を記録する。
【００１９】
図１は本発明に係る情報記録再生装置の一実施形態を示すブロック図である。図中１は情報記録媒体であるディスクである。２はディスク１を回転させるスピンドルモータ、３はディスクモータ２の駆動回転を制御するモータ制御手段、４はディスク１に映像データ等の情報を記録或いは記録されたデータ、アドレス等の情報を再生する情報記録再生ヘッド、５は情報記録再生ヘッド４からセクタアドレス信号を読み出し、セクタアドレス信号をセクタアドレス値に変換したアドレス解読信号を出力するアドレス解読手段である。
【００２０】
６は記録時には記録データを変調後に情報記録再生ヘッド４に出力し、再生時は情報記録再生ヘッド４から再生信号を読み出し復調する記録再生手段、７は入力する映像信号を符号化して記録再生手段６に出力し、或いは記録再生手段６からの映像情報を復号化して後述の出力ユーザインターフェース部１０へ出力する映像信号符号化復号化手段、８はディスク１から読み出したブックマークテーブルの情報をディスク１の記録時或いは再生時に一時的に格納するためのメモリであり、ブックマークを登録し得る容量を備えている。
【００２１】
９はユーザからの記録、再生の開始、終了、任意の再生開始位置を装置に伝える入力ユーザインターフェース部、１０は映像信号をユーザに表示する出力ユーザインターフェース部、１１は装置の各部をコントロールするコントローラである。なお、ブックマークはユーザが映像を再生或いは記録中にリモコン等の入力インターフェースを通じて登録する。
【００２２】
ディスク１が装置本体に挿入されると、ディスク１上の所定の領域に記録されているブックマークテーブルを読み取る。コントローラ１１はブックマークテーブルが記録されているアドレス位置の情報を記録再生手段６を通じて読み出す。得られた情報はメモリ８に保存する。これ以降のテーブルに関する動作はこのメモリ８のデータを用いて行うことになる。
【００２３】
なお、装置の動作中、メモリ８では新たなブックマークを登録、更新することになるが、この場合、ディスク上に登録された位置情報との整合性をとるため、ある所定の時間間隔毎及びユーザが装置の電源を切る直前やディスク取り出し時等の所定のタイミングでメモリ８に記録されている情報をディスク１上のテーブル情報へ更新を行う。
【００２４】
このようにすることによって、ブックマークが新たに登録あるいは更新される度毎にディスク１の更新を行うのに比してディスク１のシーク、読み取り、書き込み処理が発生するのを防止でき、装置の処理負担を軽減することができる。
【００２５】
次に、図６に示すフローチャートを参照して本実施形態のデータ記録時の動作を説明する。まず、Ｓ６０１で入力インターフェース９にあるモードダイヤル（図示せず）が記録モードに設定されたか否かを判断し、記録モードであればＳ６０２で入力ユーザインターフェース９にある記録開始ボタン（図示せず）が押されたか否かを判定する。記録開始ボタンが押された場合には、Ｓ６０３で記録動作中にブックマークキーが押されたか否かを判断する。ブックマークキーが押された場合には、Ｓ６０４でブックマークテーブルに格納可能なブックマーク数に達したか否かを判断する。
【００２６】
ブックマークテーブルに格納可能な場合には、Ｓ６０５に進み、ブックマークキーが押されたときのデータの位置情報３２、状態フラグ３３、作成日時３４、映像音声ストリームのブックマーク位置に対応するサムネイル及びサムネイル数を示すサムネイル番号をブックマークとして作成し、ブックマークテーブルに登録する。その後、Ｓ６０３でブックマークキーが押されるのを待つ。Ｓ６０４でブックマークテーブルに格納可能なブックマーク数に達した場合には、Ｓ６０６に進み、出力ユーザインターフェース１０のＬＣＤ上に「これ以上登録できません」等のエラー表示を行う。
【００２７】
次に、図７に示すフローチャートを参照して本実施形態のデータ再生時の動作を説明する。まず、Ｓ７０１で入力ユーザインターフェース９にあるモードダイヤル（図示せず）が再生モードに設定されたか否かを判断する。再生モードに設定されると、ブックマークテーブル読み出し、サムネイル一覧を出力ユーザインターフェース１０のＬＣＤ上に表示する（Ｓ７０２）。次に、Ｓ７０３でＬＣＤ上のサムネイル一覧から再生を開始するサムネイルを図示しない十字キー等で選択する。Ｓ７０３でサムネイルを選択すると、Ｓ７０４で状態フラグ３３を参照してブックマークが記録中に作成され、且つ、再生中にブックマークが変更されていないか否かを判断する（状態フラグが１か）。
【００２８】
状態フラグ３３が１にセットされている場合には、記録時に作成したブックマークが変更されていないと判断し、Ｓ７０５に進んで、映像音声ストリームのブックマークによって表わされる位置より所定量前、つまり、予め設定されたフレーム数或いはＧＯＰ数或いは時間だけブックマーク位置より前から再生を開始する（Ｓ７０５）。一方、Ｓ７０４で状態フラグが１にセットされていない場合には、記録時に作成したブックマークが変更されていると判断し、ブックマークによって表される位置から再生を開始する（Ｓ７０６）。
【００２９】
以上により、ブックマークの状態フラグ３３を参照して、状態フラグ３３の値に応じて再生開始位置を変更することで所望の位置からの再生やプレイリスト編集が容易となる。
【００３０】
次に、図８に示すフローチャートを参照して本実施形態のブックマークを変更する動作を説明する。まず、Ｓ８０１でブックマーク変更モードに設定されたか否かを判断する。ブックマーク変更モードに設定されると、ブックマークテーブルから読み出したサムネイル一覧を出力ユーザインターフェース１０のＬＣＤ上に表示する（Ｓ８０２）。
【００３１】
次いで、Ｓ８０３で変更したいブックマークに対応するサムネイルをＬＣＤ上のサムネイル一覧より図示しない十字キー等で選択する。また、Ｓ８０３で選択されたサムネイル位置の画像を表示し、後は再生、逆再生、コマ送り／戻り等の操作で所望のブックマーク位置を指定し（Ｓ８０４）、Ｓ８０５でブックマークキーが押されて確定したか否かを判定する。Ｓ８０５でブックマークキーが押されるまで待機し、Ｓ８０５でブックマークキーが押された場合には、Ｓ８０６へ進み、ブックマークの位置を当該アドレスに更新し、状態フラグ３３を０にセットすることで、ブックマークの変更を終了する。これにより、ブックマーク編集操作が容易になる。
【００３２】
以上により、記録時に作成したブックマークを変更した場合には、ブックマークが示す場所より前からではなく、ブックマークが示す場所から再生することで、迅速に所望の位置にブックマークを作成でき、プレイリスト編集が容易になる。
【図面の簡単な説明】
【００３３】
【図１】本発明に係る情報記録再生装置の一実施形態を示す図である。
【図２】図１の実施形態で用いるブックマークテーブルの構成例を示す図である。
【図３】図１の実施形態で用いるブックマークの構成例を示す図である。
【図４】映像ファイルとプレイリストを表す模式図である。
【図５】ＭＰＥＧ方式による符号化方法のＧＯＰの構造を示す構造図である。
【図６】図１の実施形態のデータ記録時の動作を説明するためのフローチャートである。
【図７】図１の実施形態のデータ再生時の動作を説明するためのフローチャートである。
【図８】図１の実施形態のブックマークを変更する動作を説明するためのフローチャートである。
【符号の説明】
【００３４】
１  ディスク
２  スピンドルモータ
３  モータ制御手段
４  情報記録再生ヘッド
５  アドレス解読手段
６  記録再生手段
７  映像信号符号化復号化手段
８  メモリ
９  入力ユーザインターフェース
１０  出力ユーザインターフェース
３１  ファイル番号
３２  アドレス情報
３３  状態フラグ
３４  作成日時
【図１】
2006236504.tif 000003
【図２】
2006236504.tif 000004
【図３】
2006236504.tif 000005
【図４】
2006236504.tif 000006
【図５】
2006236504.tif 000007
【図６】
2006236504.tif 000008
【図７】
2006236504.tif 000009
【図８】
2006236504.tif 000010